(57)【要約】【課題】障子開閉等のために比較的大きな開口部を有する枠を備えた窓において、枠と框との間の隙間を通しての火炎や熱風の通過が防止され、延焼防止機能を向上させた窓の防火構造を提供する。【解決手段】室外に向けて開口され、開閉用の中継アーム２１や操作アーム２２を収容可能な開口溝３ａを有する下枠３を備える。開口溝３ａ内に、加熱により発泡して下枠３と障子７の下框１０との間の隙間を膨張した発泡材で充填する加熱発泡材５０を設ける。【選択図】図４
2015042799.tif 000002
【特許請求の範囲】
【請求項１】
室外側に向けて開口され、開閉用の操作部材を収容可能な開口溝を有する縦枠または横枠を窓枠の一部に備えた窓の防火構造において、
前記開口溝内に、加熱により発泡して枠と障子の框との間の隙間を膨張した発泡体で充填する加熱発泡材を設けたことを特徴とする窓の防火構造。
【請求項２】
請求項１に記載の窓の防火構造において、
前記開口溝を有する枠が下枠であって、前記下枠の前記開口溝を形成する立上部に前記加熱発泡材を設けたことを特徴とする窓の防火構造。
【請求項３】
請求項２に記載の窓の防火構造において、
前記下枠に、前記障子の下框の下面に対向する下框対面部を備えると共に、前記下框対面部の室内側に、前記立上部と異なる別の立上部を備え、
前記下框の室外側に、前記下枠の前記下框対面部の室外側端部を覆う垂下板部を備え、
前記垂下板部と前記別の立上部の相互の対向面の少なくともいずれか一方にも加熱発泡材を設けたことを特徴とする窓の防火構造。
【請求項４】
請求項１から３までのいずれか1項に記載の窓の防火構造において、
前記窓が、開口溝を有する枠に開閉用のハンドルを取付けた辷り出し窓であることを特徴とする窓の防火構造。
【請求項５】
請求項１から４までのいずれか1項に記載の窓の防火構造において、
前記窓枠のうち、障子の室内側に設ける部分を樹脂製枠とし、室内側から見て、前記樹脂製枠により障子の框が隠れる構造としたことを特徴とする窓の防火構造。
【発明の詳細な説明】
【技術分野】
【０００１】
本発明は、住宅等の建物に設置される窓の防火構造に係わり、より詳しくは、縦辷り出し窓や横辷り出し窓のように、開閉用ハンドルを取付ける下枠等の枠に、ハンドル回動により障子を開閉するためのアームを収容するための開口溝あるいはこれに類する開口溝を有する窓における防火構造に関する。
【背景技術】
【０００２】
特許文献１には、下枠に取付けるハンドルを回動させることにより、障子を開閉する横辷り出し窓が開示されている。この横辷り出し窓は、障子を開閉するためのアームを室外側に突出可能に収容するため、下枠には、室外側が開口された開口溝を有する。
【先行技術文献】
【特許文献】
【０００３】
【特許文献１】特開２００８−２９１４６７号公報
【発明の概要】
【発明が解決しようとする課題】
【０００４】
しかしながら、ハンドルを設置するために大きな開口溝を下枠等に設けた辷り出し窓等の窓においては、隣接する家屋等に火災が発生した場合、障子や窓枠の変形により、障子と下枠との間に隙間が生じやすい。特に下枠に対向する障子の下框は、ガラスの荷重を受けて変形しやすく、その上、外部からの熱により下框の中央部が熱膨張によって外側に反る変形を起こしたり、下枠の中央部が外側に反る変形が生じた場合、障子の下框と窓枠の下枠との間に隙間を生じやすい。このように下框と下枠との間に隙間が生じると、火炎や熱風が隙間から室内に侵入し、延焼が起こりやすくなるという問題点がある。
【０００５】
また、窓の断熱性や結露防止のため、窓枠の室内側に樹脂製の枠を設ける場合、外部から下框と下枠との間の隙間から侵入する火炎や熱風によって樹脂製の枠が溶解して障子の支持力が低下し、ますます延焼を生じやすい状態となる。
【０００６】
本発明は、上記問題点に鑑み、障子開閉用操作部材収容等のために比較的大きな開口溝を備えた窓において、枠と框との間の隙間を通しての火炎や熱風の通過が防止され、延焼防止機能を向上させた窓の防火構造を提供することを目的とする。
【課題を解決するための手段】
【０００７】
請求項１の窓の防火構造は、室外側に向けて開口され、開閉用の操作部材を収容可能な開口溝を有する縦枠または横枠を窓枠の一部に備えた窓の防火構造において、
前記開口溝内に、加熱により発泡して枠と障子の框との間の隙間を膨張した発泡体で充填する加熱発泡材を設けたことを特徴とする。
【０００８】
請求項２の窓の防火構造は、請求項１に記載の窓の防火構造において、
前記開口溝を有する枠が下枠であって、前記下枠の前記開口溝を形成する立上部に前記加熱発泡材を設けたことを特徴とする。
【０００９】
請求項３の窓の防火構造は、請求項２に記載の窓の防火構造において、
前記下枠に、前記障子の下框の下面に対向する下框対面部を備えると共に、前記下框対面部の室内側に、前記立上部と異なる別の立上部を備え、
前記下框の室外側に、前記下枠の前記下框対面部の室外側端部を覆う垂下板部を備え、
前記垂下板部と前記別の立上部の相互の対向面の少なくともいずれか一方にも加熱発泡材を設けたことを特徴とする。
【００１０】
請求項４の窓の防火構造は、請求項１から３までのいずれか1項に記載の窓の防火構造において、
前記窓が、開口溝を有する枠に開閉用のハンドルを取付けた辷り出し窓であることを特徴とする。
【００１１】
請求項５の窓の防火構造は、請求項１から４までのいずれか1項に記載の窓の防火構造において、
前記窓枠のうち、障子の室内側に設ける部分を樹脂製枠とし、室内側から見て、前記樹脂製枠により障子の框が隠れる構造としたことを特徴とする。
【発明の効果】
【００１２】
請求項１の発明によれば、窓枠の開口溝内に加熱発泡材を設けたので、火災発生時に加熱により加熱発泡材が発泡して開口溝を有する枠と障子の框との間の隙間が膨張した発泡体で閉塞される。このため、熱風や火炎が室内側に侵入することが発泡体によって防止され、延焼が防止される。
【００１３】
請求項２の発明によれば、下枠に設けた開口溝の一部を構成する立上部に加熱発泡材を設けたので、雨水が下枠に浸入した場合に、加熱発泡材が下枠から室外側への雨水の排出の妨げとならず、加熱発泡材の追加が雨仕舞機能を損なうことがない。
【００１４】
請求項３の発明によれば、下框の垂下板部と、下枠の下框対面部の室内側に設けた立上部の相互の対向面の少なくともいずれか一方にも加熱発泡材を設けたので、加熱発泡材の発泡が、下框の下面と下枠の下框対面部との間の隙間でも行なわれる。このため、開口溝における加熱発泡と相俟って、下框の下面部の隙間でも行なわれ、広い範囲での加熱発泡が行なわれて隙間を閉塞することとなり、さらに防火性能が向上する。また、窓枠側については、下框対面部の室内側立上部に加熱発泡材を設けたので、この加熱発泡材が下框対面部における雨仕舞機能も損なうことがない。
【００１５】
請求項４の発明によれば、窓が辷り出し窓であって、開口溝を有する枠が開閉用ハンドルを取付けたものであり、経年変化により障子の框や枠が変形して隙間を生じた場合であっても、加熱発泡材の発泡によって隙間を閉塞することにより、重要な防火効果を発揮する。
【００１６】
請求項５の発明によれば、障子の室内側に設ける部分を樹脂製枠とし、室内側から見て、樹脂製枠により障子の框が隠れる構造としたものであり、この障子の框が樹脂製枠により隠されることにより、断熱性や結露防止構造が優れた窓が構成される。また、このように、断熱性や結露防止構造が優れた窓においても、樹脂製枠の溶解を防止したり溶解を遅らせることにより、防火性能に優れた窓を実現することが可能となる。
【図面の簡単な説明】
【００１７】
【図１】本発明の窓の防火構造の一実施の形態である縦辷り出し窓を示す縦断面図である。
【図２】図１の縦辷り出し窓の横断面図である。
【図３】図１、図２の縦辷り出し窓の開閉機構を示す平面図である。
【図４】図１の要部拡大断面図である。
【図５】図１の縦辷り出し窓の下枠を室外側から見た図である。
【図６】図１〜図５の実施の形態において、下枠と下框との間の加熱発泡材が発泡した状態を示す断面図である。
【図７】本発明の窓の防火構造の他の実施の形態である横辷り出し窓を示す縦断面図である。
【図８】図７の横辷り出し窓の横断面図である。
【図９】図７，図８の横辷り出し窓の開閉機構を示す平面図である。
【図１０】図７，図８の横辷り出し窓の開閉機構を示す側面図である。
【図１１】本発明の窓の防火構造の他の実施の形態である嵌め殺し窓を示す縦断面図である。
【図１２】図１１の嵌め殺し窓の横断面図である。
【発明を実施するための形態】
【００１８】
図１は本発明の窓の一実施の形態を示す縦辷り出し窓の縦断面図、図２はその横断面図である。図１および図２において、１は左右の縦枠、２，３はそれぞれ上枠、下枠として備えた横枠である。この縦枠１および横枠２，３はアルミニウム合金等の金属製押出形材により構成される。４，５，６はそれぞれ縦枠１，横枠２，３の室外側に組み付けられて断熱性を高める合成樹脂製押出形材でなる樹脂製枠であり、それぞれ縦枠１および横枠２，３の一部をなすものである。縦枠１，横枠２，３および樹脂製枠4〜６により枠体Ｆが構成される。
【００１９】
図１において、３５，３６はそれぞれ建物開口部３７の基枠を構成する窓台とまぐさである。３８は窓台３５上にカイ木３９を介して設置された額縁、４０はまぐさ３６の下にカイ木４１を介して取付けられた額縁である。図２において、４２は窓台３５やまぐさ３６と共に建物開口部３７の基枠を構成する左右の柱、４３はこれらの柱４２にカイ木４４を介して設置された額縁である。これら４周の額縁３８，４０，４３，４３により建物開口部３７の内周面を構成し、これらの額縁３８，４０，４３，４３およびカイ木３９，４１，４４，４４と、窓台３５、まぐさ３６および柱４２，４２とにより、建物開口部３７の室外側に凹み部４５を構成する。そしてこの凹み部４５を形成する壁面に枠体Ｆの室内側見付け面を当ててねじ等の固定具４６により固定する。そして室内側から見ると、枠体Ｆは額縁３８，４０，４３，４３や内装材４７によって隠された構造とする。４８は胴縁、４９は外装材である。
【００２０】
枠体Ｆ内に収容される障子７は、縦辷り出し窓を構成するものであり、アルミニウム合金製押出形材等の金属製押出形材でなる左右の縦框８，８、上框９および下框１０とで矩形に構成された枠内に、グレージングチャンネル１１を介して、網入りガラスパネルでなる室内側ガラスパネル１２と、室外側ガラスパネル１３とによりなる２重パネルを組み込んで構成したものである。ただし本発明は単層パネルにも適用可能である。１４は樹脂製枠4〜６を枠体として構成した網戸である。
【００２１】
図１において、１６は障子７の上框９と上枠２との間に設けた吊元の支持機構、１７は障子７の下框１０と下枠３との間に設けた吊元の支持機構である。１８は下枠３に螺子等の固定具１９により取付けたブラケット、２０はこのブラケット１８に取付けた障子開閉用のハンドルである。２１は障子７を開閉するための後述の中継アームである。
【００２２】
図３は障子７の開閉機構を示す平面図であり、障子７が開いた状態で示す。図３において、２０ａはハンドル２０の回動軸に固定して取付けた歯車、２２は操作アームであり、この操作アーム２２はブラケット１８に設けたピン２３を中心として回動可能に取付ける。操作アーム２２の根本部には歯車２０ａに噛合する歯車２２ａを固定して設ける。操作アーム２２はその先端を中継アーム２１の一端にピン２４により回動可能に連結する。中継アーム２１の他端は、下框１０の室内側側面に取付けたブラケット２５にピン２６により回動可能に連結する。
【００２３】
２７，２８はそれぞれ下枠３と障子７の下框１０との間に設ける第１、第２のリンクであり、障子７の下側の開閉駆動側の支持機構１７を構成するものである。第１のリンク２７は、その一端を下枠３にピン２９により回動可能に連結し、他端を下框１０の下面にピン３０により回動可能に連結する。第２のリンク２８は一端に回動可能に設けたスライダ２８ａを、下枠３に取付けた鋼材でなるガイド部材３１に沿って摺動可能に係合させ、他端を下框１０にピン３２により回動可能に連結する。上枠２と上框９との間の支持機構１６は従動側の支持機構であり、アーム２１，２２を備えていない点以外は、支持機構１７のガイド部材３１やリンク２７，１８と同様の構造で構成される。
【００２４】
図３において、ハンドル２０を矢印Ｒ１の方向に回わすと、歯車２０ａ，２２ａの噛合により、操作アーム２２がＲ２の方向に回動するので、障子７は中継アーム２１により矢印Ｘ１の方向に引っ張られる。これにより、第１のリンク２７はピン２９を中心として矢印Ｒ３の方向に回動して、障子７は矢印Ｘ１の方向に移動すると同時に、矢印Ｒ４の方向に回動し、障子７が図示のように開く。このとき、第２のリンク２８は、スライダ２８ａがガイド部材３１にガイドされて矢印Ｘ２に示すように移動しながら障子７の吊元側を支持する。ハンドルを矢印Ｒ１の反対側に回すと、前記と逆の動きにより、障子７が閉じる。
【００２５】
図４は図１における下枠３および下框１０の部分を拡大して示す断面図である。３ａは障子７を開閉するための操作部材である操作アーム２２や中継アーム２１を収容するために設けた開口溝であり、この開口溝３ａは、障子７の下框１０の室内側に開口面が対向するように形成する。３ｂは開口溝３ａを形成するために下枠３に形成した立上部である。５０はこの立上部３ｂに貼り付けてねじ４９により固定した加熱発泡材である。５１は下枠３の開口溝３ａ形成部の室外側に取付けたゴム製の乾式シール材であり、下框１０の室内側の面を当接させて気密性を維持するものである。
【００２６】
図５はこの加熱発泡材５０を貼り付ける範囲を室外側から見た状態で示す図である。図５において、３ｃは操作アーム２２を通すために立上部３ｂに設けた開口部であり、加熱発泡材５０は、この開口部３ｃを避けた位置に設ける。
【００２７】
図４において、３ｄは障子７の下框１０の下面に対向する下枠３の下框対面部、３ｅはこの下框対面部３ｄの室内側に設けた立上部である。５２はこの立上部３ｅに貼り付けた加熱発泡材である。３ｆ，３ｇは加熱発泡材５２を外れ止めするために下框対面部３ｄと立上部３ｅにそれぞれ形成した係止突起である。図５に示すように、この加熱発泡材５２は、下枠３の全長にわたって取付ける。
【００２８】
図４において、１０ａは下枠３の下框対面部３ｄの室外側端部を室外側から覆うように下框１０に設けた垂下板部である。５３はこの垂下板部１０ａにおける室内側の面、すなわち立上部３ｅに対向する面に貼り付けた加熱発泡材である。この加熱発泡材５３は下框１０の全長にわたって設ける。１０ｂ，１０ｃは加熱発泡材５３を外れ止めするためにそれぞれ垂下板部１０ａと下框１０に形成した係止突起である。
【００２９】
この実施の形態においては、開口溝３ａの立上部３ｂに加熱発泡材５０を取付けたので、火災発生時に障子７や窓枠Ｆが変形し、下框１０と下枠３との間に隙間が発生し、その隙間に外部から熱風あるいは火炎が侵入すると、図６に示すように、加熱発泡材５０が発泡して膨張し、下枠３の開口溝３ａと下框１０との間の隙間に発泡体５５が充填される。このため、熱風や火炎により窓枠Ｆや框８〜１０が変形し、下框１０と下枠３との間に隙間ができても、発泡体５５によりその隙間が遮断され、熱風や火炎が遮断されるので、樹脂製枠４〜６の溶解が防止され、窓枠Ｆに障子７が保持されて室内側への延焼が防止され、防火性が向上する。
【００３０】
また、この実施の形態においては、下枠３の下框対面部３ｄと下框１０の下面との間に設けた加熱発泡材５２，５３も発泡し、図６に示すように、下枠３の下框対面部３ｄと下框１０の下面との間も発泡体５６により充填される。このため、熱風や火炎もさらに良好に遮断され、窓枠Ｆに障子７が強固に保持されて室内側への延焼がよりよく防止される。なお、下枠３の下框対面部３ｄと下框１０の下面との間の隙間を発泡体により充填するには、加熱発泡材５２，５３のいずれか一方のみを設けてもよい。
【００３１】
開口溝３ａ内に加熱発泡材５０を設ける場合、開口溝３ａの底板部３ｈ上に加熱発泡材５０を設けてもよいが、底板部３ｈ上に設けると、雨水が底板部３ｈ上に溜まった場合、水はけが悪くなり、室内側への漏水が生じるおそれがある。この実施の形態のように、立上部３ｂに加熱発泡材５０を設けるにより、雨仕舞機能を損なうことがない。
【００３２】
また、この実施の形態においては、室内側から見て、樹脂製枠４〜６により障子７の框８〜１０が隠れる構造としており、框８〜１０が樹脂製枠４〜６により隠されることにより、断熱性や結露防止構造が優れた窓が構成される。また、このように、断熱性や結露防止構造が優れた窓においても、加熱発泡材５０，５２，５３を設けたことにより、防火性能に優れた窓を実現することが可能となる。
【００３３】
図７〜図１０は本発明の防火構造の他の実施の形態であり、本発明を横辷り出し窓に適用した例である。図７は横辷り出し窓の縦断面図、図８はその横断面図である。また、図９は障子７を開いた状態を示す平面図、図１０はその側面図である。
【００３４】
図７ないし図１０において、図1ないし図６と同じ符号は同じ機能を発揮する部材である。この実施の形態においても、下枠３は開口溝３ａを有し、障子７を閉じた状態において、開口溝３ａの中に操作部材である操作アーム２２Ｘ、中継アーム２１Ｘを収容する。図９に示すように、操作アーム２２Ｘはピン２３によりブラケット１８に回動可能に取付ける。操作アーム２２Ｘはその根本部に、ハンドル２０に設けた歯車２０ａと噛合する歯車２２ａを有する。図９に示すように、中継アーム２１Ｘは下枠３にピン５７を中心に回動可能に取付ける。操作アーム２２Ｘの先端を中継アーム２１Ｘの根本部近傍にピン５８により回動可能に連結する。中継アーム２１Ｘの先端をピン５９により障子７の下框１０に回動可能に連結する。
【００３５】
図１０において、２７Ｘ，２８Ｘはそれぞれ左右の縦枠１と障子７の左右の縦框８との間に設ける第１、第２のリンクである。第１のリンク２７Ｘは、その一端を縦枠１にピン２９Ｘにより回動可能に連結し、他端を縦框８の側面にピン３０Ｘにより回動可能に連結する。第２のリンク２８Ｘは、その一端を縦枠１に取付けた鋼材でなる取付け部材３１Ｘにピン２８ｂにより回動可能に連結し、他端を縦框８にピン３２Ｘにより回動可能に連結する。
【００３６】
図９において、ハンドル２０を矢印Ｒ１の方向に回動すると、操作アーム２２Ｘが矢印Ｒ２の方向に回動し、これにより、中継アーム２１Ｘはピン５７を中心として矢印Ｒ３の方向に回動して障子７が開く。このように、障子７が開くとき、図１０において、第１のリンク２７Ｘはピン２９Ｘを中心として矢印Ｒ４に示すように回動すると共に、第２のリンク２８Ｘもピン２８ｂを中心として矢印Ｒ４に示すように回動しながら障子７が矢印Ｒ５に示すように開く。
【００３７】
この横辷り出し窓においても、加熱発泡材５０，５２，５３を設けたことにより、縦辷り出し窓について説明したように、防火性能を向上させることができ、延焼防止効果が上がる。すなわち、辷り出し窓においては、開閉用操作部材を収容するため、障子７の下框１０と下枠３との間に大きな開口溝３ａが形成されており、さらに火災時の障子７や窓枠Ｆの変形により、特に下框１０と下枠３との間に隙間が発生しやすいが、本発明のように、火災発生時に加熱発泡材によって開口溝３ａを閉塞することにより、隙間が閉塞され、防火効果を発揮する。また、開口溝３ａより室外側にさらに加熱発泡材５２，５３を設けることにより、これらが発泡して防火性をさらに向上させることが可能となり、さらに防火性を高めることができる。
【００３８】
しかしながら、本発明はこのような辷り出し窓のみならず、図１１の縦断面図および図１２の横断面図に示す嵌め殺し窓においても同様の構造によって防火性能を高めることが可能である。この図１１、図１２において、図１〜図１０と同じ符号は同じ機能を発揮する部材を示す。この嵌め殺し窓は、障子７の框８〜１０が枠Ｆに固定して取付けられる。この嵌め殺し窓は、辷り出し窓と並設されて障子７の上下幅を揃えて意匠性を高めるため、嵌め殺し窓と辷り出し窓で上下幅を統一して構成するものである。この嵌め殺し窓においても、開口溝３ａを備えることにより、下框１０と下枠３との間に大きな空間が形成され、火炎や熱風がこの空間を通りやすくなるものである。
【００３９】
このような嵌め殺し窓においても、加熱発泡材５０あるいはさらに加熱発泡材５２，５３を設けることにより、これらが発泡して防火性を向上させることができる。なお、この嵌め殺し窓は、辷り出し窓と並設することなく嵌め殺し窓のみ並設するかあるいは独立に設置するものであっても、辷り出し窓と共通の製造設備を用いて製造された框や枠等で嵌め殺し窓を構成する場合にも適用することができる。
【００４０】
上記の実施の形態においては、辷り出し窓において、開閉用ハンドル２０を下枠３に取付けた例を示したが、このハンドル２０を上枠２や縦枠１に設けたものにも本発明を適用することが可能である。
【００４１】
以上本発明を実施の形態により説明したが、本発明を実施する場合、本発明の要旨を逸脱しない範囲において、辷り出し窓の開閉機構や窓枠および框等の構成部材やその組み合わせについて、種々の変更、付加が可能である。
【符号の説明】
【００４２】
１：縦枠、２：上枠、３：下枠、３ａ：開口溝，３ｂ，３ｅ：立上部、３ｃ：開口部、３ｄ：下框対面部、４〜６：樹脂製枠、７：障子、８：縦框、９：上框、１０：下框、１０ａ：垂下板部、１２，１３：ガラスパネル、１８：ブラケット、２０：ハンドル、２１，２１Ｘ：中継アーム、２２，２２Ｘ：操作アーム、２７，２７Ｘ：第１のリンク、２８，２８Ｘ：第２のリンク、２８ａ：スライダ、２８ｂ：ピン、３１：ガイド部材、３１Ｘ：取付け部材、５０，５２，５３：加熱発泡材、５５，５６：発泡体、Ｆ：窓枠
【図１】
2015042799.tif 000003
【図２】
2015042799.tif 000004
【図３】
2015042799.tif 000005
【図４】
2015042799.tif 000006
【図５】
2015042799.tif 000007
【図６】
2015042799.tif 000008
【図７】
2015042799.tif 000009
【図８】
2015042799.tif 000010
【図９】
2015042799.tif 000011
【図１０】
2015042799.tif 000012
【図１１】
2015042799.tif 000013
【図１２】
2015042799.tif 000014